(57)【要約】      （修正有）【課題】物品の箱詰め製品の製造ラインの包装工程において、物品を入れた包装袋を段ボール箱に収容して段ボール箱のフラップを折り畳んで封をするときに、上側ガゼット部がフラップの間に挟まらないようにした合成樹脂製の包装袋を提供する。【解決手段】上側ガゼット部１と下側ガゼット部２を有し、上側ガゼット部１に各合成樹脂シートを貫通する取手穴を有し、左右側端縁のうち一方が封止され、他方が開口されて開口部５を有する合成樹脂製の包装袋Ａであって、上側ガゼット部１のシートのうち取手穴と内縁折り曲げ部１５との間の表裏側の二層ずつが幅方向に封止されて封止部６が形成されており、内縁折り曲げ部１５の近傍には破って開封できる脆弱部１６が形成され、上側ガゼット部１は外縁折り曲げ部１７において中央より左右側から左右両端縁にかけて切除して形成された逃げ縁７，７ａを有している。【選択図】図１
2014122065.tif 000002
【特許請求の範囲】
【請求項１】
上側ガゼット部及び下側ガゼット部を有し、前記上側ガゼット部は合成樹脂シートを四層重ねて外縁折り曲げ部と内縁折り曲げ部を有する構造となっており、前記上側ガゼット部の中央部に四層の合成樹脂シートを貫通する取手穴を有し、左右側端縁のうち一方が封止され、他方が開口されており、当該開口部から物品を入れて封入する合成樹脂製の包装袋であって、
前記上側ガゼット部の四層の合成樹脂シートのうち、前記取手穴と前記内縁折り曲げ部との間の表裏側の二層ずつが幅方向に封止されて封止部が形成されており、前記内縁折り曲げ部又は前記内縁折り曲げ部の近傍には破って開封できる脆弱部が形成されており、
前記上側ガゼット部は、前記外縁折り曲げ部において中央又は中央より左右側から左右両端縁にかけて四層の合成樹脂シートを切除して形成された逃げ縁を有している、
段ボール箱に収容する物品を包装する包装袋。
【請求項２】
取手穴と内縁折り曲げ部との間の表裏側の二層ずつが幅方向に封止された封止部は溶着により断続的に形成され、溶着が途切れている非溶着箇所で形成された空気抜き部を有している、請求項１記載の段ボール箱に収容する物品を包装する包装袋。
【請求項３】
上側ガゼット部の上縁又は逃げ縁の近傍において、四層の合成樹脂シートが点溶着されている、
請求項１又は２記載の段ボール箱に収容する物品を包装する包装袋。
【発明の詳細な説明】
【技術分野】
【０００１】
本発明は、段ボール箱に収容する物品を包装する包装袋に係り、更に詳しくは、段ボール箱に収容する物品を包装する包装袋の上部が、段ボール箱のフラップを折り畳んで封をするときに、フラップの間に挟まらないようにしたものに関する。
【背景技術】
【０００２】
例えば、生理食塩水パックを段ボール箱で包装する際には、生理食塩水パックを所定の個数、例えば五個を合成樹脂製の包装袋（中袋）に入れ、封をして一単位とし、この包装袋を一又は複数単位で段ボール箱に収容して包装している。
【０００３】
従来より、一般的に使用されている包装袋<9>は、図４及び図５に示すように、ガゼット袋を横にした形状で、未使用時には横長の長方形状である。つまり、包装袋<9>のガゼット部<91,92>は上下位置にあり、包装袋<9>の左右側の端縁のうち一方の端縁<93>（図４で左側）は溶着によって封止され、他方の端縁<94>は開口されている。
【０００４】
また、上側ガゼット部<91>は、内縁側の折り曲げ部<95>近傍の四層の合成樹脂シートのうち、表裏側の二層ずつが全幅にわたり溶着され、折り曲げ部<95>又はその近傍にはミシン目等の手で破ることができる脆弱部<96>が形成されている。更に、上側ガゼット部<91>の中央部には、四層の合成樹脂シートを貫通して、指を通すための横長の取手穴<97>が形成されている。
【０００５】
そして、包装袋<9>の端縁<94>の開口部から生理食塩水パックを入れて開口部を封止した後、包装袋<9>を開封する際には、まず上側ガゼット部<91>を開き、内縁側の折り曲げ部<95>又はその近傍に設けられた脆弱部<96>を破って、包装袋<9>の内部から生理食塩水パックを取り出すようにする。
【発明の概要】
【発明が解決しようとする課題】
【０００６】
しかしながら、前記従来の包装袋には、次のような課題があった。
一般的に、包装用の段ボール箱の大きさは、輸送効率を高めるために、生理食塩水パック等の物品を入れた中袋となる包装袋との間に、できるだけ空隙が生じないように作られている。
このため、物品の箱詰め製品の製造ラインの包装工程において、生理食塩水パックを入れた包装袋を段ボール箱の中に収容してフラップを閉じたときに、フラップの間に包装袋の上側ガゼット部の一部が挟まった状態となることがある。
【０００７】
生理食塩水パックは、点滴などに使用するものであることから、その衛生管理は他の商品に比べて厳重である。このため、前記のように包装工程において、フラップの間に包装袋の上側ガゼット部が挟まった場合は、生理食塩水パック内の生理食塩水自体に何ら影響がない場合でも、その時点で不良品とされていた。
【０００８】
また、包装袋に生理食塩水パックを入れて開口部を封止するときは、開口部は上下方向の全長にわたり封止されて密封される。このため、包装袋の内部は密封状態となり、内部に残る空気が多すぎた場合、段ボール箱に収容するときに、空気による膨らみが邪魔になって、上側ガゼット部が段ボール箱に収まらず、前記したようにフラップに挟まれてしまう原因となるおそれがあった。
【０００９】
（本発明の目的）
本発明は、物品の箱詰め製品の製造ラインの包装工程において、例えば生理食塩水パック等の物品を入れた包装袋を段ボール箱に収容して段ボール箱のフラップを折り畳んで封をするときに、包装袋の上側ガゼット部がフラップの間に挟まらないようにした、合成樹脂製の包装袋を提供することを目的とする。
【００１０】
本発明の他の目的は、前記目的に加えて、包装袋に物品を入れて開口部を封止するときに、包装袋の内部に残る空気が多すぎた場合でも、段ボール箱に収容するときに、包装袋の空気による膨らみが邪魔にならないように、空気を外部へ排出できるようにして、上側ガゼット部がフラップに挟まれてしまう原因とならないようにすることである。
【課題を解決するための手段】
【００１１】
上記課題を解決するために本発明が講じた手段は次のとおりである。
（１）本発明は、
上側ガゼット部及び下側ガゼット部を有し、前記上側ガゼット部は合成樹脂シートを四層重ねて外縁折り曲げ部と内縁折り曲げ部を有する構造となっており、前記上側ガゼット部の中央部に四層の合成樹脂シートを貫通する取手穴を有し、左右側端縁のうち一方が封止され、他方が開口されており、当該開口部から物品を入れて封入する合成樹脂製の包装袋であって、
前記上側ガゼット部の四層の合成樹脂シートのうち、前記取手穴と前記内縁折り曲げ部との間の表裏側の二層ずつが幅方向に封止されて封止部が形成されており、前記内縁折り曲げ部又は前記内縁折り曲げ部の近傍には破って開封できる脆弱部が形成されており、
前記上側ガゼット部は、前記外縁折り曲げ部において中央又は中央より左右側から左右両端縁にかけて四層の合成樹脂シートを切除して形成された逃げ縁を有している、
段ボール箱に収容する物品を包装する包装袋である。
【００１２】
（２）本発明は、
上側ガゼット部の四層の合成樹脂シートのうち、取手穴と内縁折り曲げ部との間の表裏側の二層ずつが幅方向に封止された封止部は溶着により断続的に形成され、溶着が途切れている非溶着箇所で形成された空気抜き部を有している、のがより好ましく、推奨される。
【００１３】
（３）本発明は、
上側ガゼット部の上縁又は逃げ縁の近傍において、四層の合成樹脂シートが点溶着されている、のがより好ましく、推奨される。
【００１４】
（作用）
本発明に係る段ボール箱に収容する物品を包装する包装袋の作用を説明する。
包装袋は、上側ガゼット部の両側に四層の合成樹脂シートを切除して逃げ縁をそれぞれ形成することにより、従来の包装袋と相違して、上側ガゼット部の両角部がない形態となっている。
【００１５】
したがって、物品の箱詰め製品の製造ラインの包装工程において、物品を入れた包装袋を段ボール箱の中に収容してフラップを閉じたときに、包装袋の上側ガゼット部がフラップ内側に収まりやすく、従来の包装袋のように上側ガゼット部がフラップの間に挟まって、物品の箱詰め製品が不良品となることを防止できる。
【００１６】
上側ガゼット部の四層の合成樹脂シートのうち、取手穴と内縁折り曲げ部との間の表裏側の二層ずつが幅方向に封止された封止部は溶着により断続的に形成され、溶着が途切れている非溶着箇所で形成された空気抜き部を有しているものは、包装袋に物品を入れて開口部を封止するときに、包装袋の内部に残る空気が多すぎた場合でも、包装袋を段ボール箱に収容するときに、周りからの圧力等で袋が変形し、内部の空気を必要なだけ空気抜き部から外部へ排出することができる。
【００１７】
これにより、従来の包装袋のように、空気による包装袋の膨らみが邪魔になって、上側ガゼット部が段ボール箱に収まらずにフラップに挟まれてしまうようなことはなく、包装袋の収容の際の不良品の発生をより確実に防止できる。
【００１８】
上側ガゼット部の上縁又は逃げ縁の近傍において、四層の合成樹脂シートが点溶着されているものは、上側ガゼット部の四層のシートが、シートを切除して形成された逃げ縁の近傍において散らけないようにしているので、取り扱いに支障が出ないようにすることができる。また、点溶着であるので、包装袋から物品を取り出すときに、上側ガゼット部を手で無理なく簡単に開くことができ、開封がしやすい利点がある。
【発明の効果】
【００１９】
（ａ）本発明の包装袋は、上側ガゼット部の両側に四層の合成樹脂シートを切除して逃げ縁をそれぞれ形成することにより、従来の包装袋と相違して、上側ガゼット部の両角部がない形態となっている。
したがって、物品の箱詰め製品の製造ラインの包装工程において、物品を入れた包装袋を段ボール箱の中に収容してフラップを閉じたときに、包装袋の上側ガゼット部がフラップ内側に収まりやすく、上側ガゼット部がフラップの間に挟まって、物品の箱詰め製品が不良品となることを防止できる。
【００２０】
（ｂ）上側ガゼット部の四層の合成樹脂シートのうち、取手穴と内縁折り曲げ部との間の表裏側の二層ずつが幅方向に封止された封止部は溶着により断続的に形成され、溶着が途切れている非溶着箇所で形成された空気抜き部を有しているものは、包装袋に物品を入れて開口部を封止するときに、包装袋の中に残る空気が多すぎた場合でも、包装袋を段ボール箱に収容するときに、周りからの圧力等で袋が変形し、内部の空気を必要なだけ空気抜き部から外部へ排出することができる。
これにより、従来の包装袋のように、空気による包装袋の膨らみが邪魔になって、上側ガゼット部が段ボール箱に収まらずにフラップに挟まれてしまうようなことはなく、包装袋の収容の際の不良品の発生をより確実に防止できる。
【図面の簡単な説明】
【００２１】
【図１】本発明に係る包装袋の一実施の形態を示す正面視説明図。
【図２】図１のＡ−Ａ部分で断面した斜視説明図。
【図３】図１のＢ−Ｂ部分で断面した斜視説明図。
【図４】従来の包装袋の正面視説明図。
【図５】図４のＣ−Ｃ部分で断面した斜視説明図。
【発明を実施するための形態】
【００２２】
〔実施の形態〕
【００２３】
本発明を図面に示した実施の形態に基づき詳細に説明する。
なお、本明細書及び特許請求の範囲において、特定箇所の位置や方向を表現するために上下、左右の用語を用いて表現する場合があるが、その場合は図１の上下、左右を基準としている。
【００２４】
図１ないし図３を参照する。
包装袋Ａは、合成樹脂製シートでガゼット袋状に形成されている。合成樹脂製シートとしては、本実施の形態ではＰＰ（ポリプロピレン）が採用されているが、これに限定するものではなく、ＰＥ（ポリエチレン）やＰＶＣ（ポリ塩化ビニル）等、他の合成樹脂を採用することもできる。
【００２５】
包装袋Ａは、ガゼット部が上下にあり、上側ガゼット部１と下側ガゼット部２を有している。上側ガゼット部１は、包装袋Ａの未使用時（平坦に畳んだとき）において、下側ガゼット部２より上下方向の幅が広くなるように形成されている。上側ガゼット部１は、合成樹脂シートを折り畳んで四層重ねた構造となっており、上側ガゼット部１の中央部には四層の合成樹脂シートを貫通する取手穴３を有している。
【００２６】
包装袋Ａは、左右側の端縁のうち一方側が全長にわたり溶着により封止されて封止部４が形成されている。また、他方側は、上下側ガゼット部の形成後、合成樹脂シートのチューブの切断口そのままで開口された開口部５となっている。包装袋Ａは、この開口部５から所要数の物品を入れて、開口部５を全長にわたり封止して包装するものである。
【００２７】
上側ガゼット部１の四層の合成樹脂シート１１、１２、１３、１４のうち、前記取手穴３と内縁折り曲げ部１５との間には、表裏側の二層ずつ、すなわち合成樹脂シート１１と１２、及び合成樹脂シート１３と１４が幅方向に溶着により封止されて封止部６が断続的に形成されている。
【００２８】
封止部６と同列箇所の左右両端と中央の三箇所には、溶着が途切れている非溶着箇所である空気抜き部６１、６１、６１が形成されている（図１、図２参照）。
なお、本実施の形態では、開口部５の封止がしやすいように、上側ガゼット部１の右端部に封止部６と同様に溶着された短い溶着部を残しているが、これを設けない構成とすることもできる。
【００２９】
また、内縁折り曲げ部１５の近傍には、内縁折り曲げ部１５と平行に、手で比較的容易に破ることができる脆弱部１６が形成されている。本実施の形態では、脆弱部１６がミシン目状であるが、これに限定されるものではなく、各種公知手段を適宜採用することができる。
【００３０】
上側ガゼット部１は、外縁折り曲げ部１７、１８において中央より左右側から左右両端縁にかけて、四層の合成樹脂シート１１、１２、１３、１４を切除して形成された逃げ縁７、７ａを有している。本実施の形態では、逃げ縁７、７ａは、上側ガゼット部１の当初形成時において上部両側の角部となっていた部分を直角三角形状に切除した直線的な切断線で構成されている。
【００３１】
上側ガゼット部１の外縁折り曲げ部１７、１８又は逃げ縁７、７ａの近傍において、すなわち本実施の形態では、前記取手穴３の中心と同じ高さに、幅方向へ所要の間隔をおいて、四層の合成樹脂シート１１、１２、１３、１４を点溶着（スポット溶着）して点溶着部８が形成されている。
【００３２】
（作用）
図１ないし図３を参照して包装袋Ａの作用を説明する。以下の説明では、被包装物品が生理食塩水パックである場合を例にとり説明する。
【００３３】
まず、包装袋Ａに開口部５から被包装物品である生理食塩水パック（図示省略）を規定の数だけ入れて開口部５を溶着により封止する。
次に、生理食塩水パックの箱詰め製品の製造ラインの包装工程において、四枚のフラップが開いている段ボール箱に、生理食塩水パックが入った包装袋が上側ガゼット部１を上にして収容される。
【００３４】
包装工程では、まず段ボール箱の短手側の二枚のフラップが閉じられる。このとき、これら二枚のフラップに対応する位置にある包装袋Ａの上側ガゼット部１の両逃げ縁７、７ａは、切除されている分だけ嵩張らず、各フラップを閉じる際の抵抗や邪魔になることもないので、上側ガゼット部１は各フラップに押さえられて、どちらか一方側へ倒れる。これにより、上側ガゼット部１は、閉じられた各短手方向のフラップより下に位置する。
【００３５】
そして、この状態で、長手側の二枚のフラップが閉じられる。この際、包装袋Ａの上側ガゼット部１は、前記したように各短手方向のフラップより押さえられており、上方へ立ち上がったり突出していないので、各長手側のフラップを閉じても、各フラップで挟まれたり、フラップの間から外部へ露出してしまうことはない。
【００３６】
このように、包装袋Ａは、生理食塩水パックの箱詰め製品の製造ラインの包装工程において、段ボール箱のフラップを閉じたときに、上側ガゼット部１が各フラップの内側に収まりやすいので、従来の包装袋のように上側ガゼット部がフラップの間に挟まって、生理食塩水パックの箱詰め製品が不良品となることを防止できる。
【００３７】
また、包装袋Ａは、上側ガゼット部１の四層の合成樹脂シート１１、１２、１３、１４のうち、取手穴３と内縁折り曲げ部１５との間の表裏側の二層ずつが幅方向に封止された封止部６は溶着により断続的に形成され、溶着が途切れている非溶着箇所で形成された空気抜き部６１を有している。したがって、包装袋Ａに生理食塩水パックを入れて開口部５を封止するときに、包装袋Ａの内部に残る空気が多すぎた場合でも、包装袋Ａを段ボール箱に収容するときに、周りからの圧力等で袋が変形し、内部の空気を必要なだけ空気抜き部６１から外部へ排出することができる。
【００３８】
これにより、従来の包装袋のように、空気による包装袋の膨らみが邪魔になって、上側ガゼット部が段ボール箱に収まらずにフラップに挟まれてしまうようなことはなく、包装袋の収容の際の不良品の発生をより確実に防止できる。
【００３９】
更に、上側ガゼット部１の上縁又は逃げ縁７、７ａの近傍において、四層の合成樹脂シート１１、１２、１３、１４が点溶着されているものは、上側ガゼット部１の四層のシート１１、１２、１３、１４が、シートを切除して形成された逃げ縁７、７ａの近傍において散らけないようにしているので、取り扱いに支障が出ないようにすることができる。また、点溶着であるので、包装袋Ａから生理食塩水パックを取り出すときに、上側ガゼット部１を手で無理なく簡単に開くことができ、開封がしやすい利点がある。
【００４０】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００４１】
Ａ  包装袋
１  上側ガゼット部
１１、１２、１３、１４  合成樹脂シート
１５  内縁折り曲げ部
１６  脆弱部
１７、１８  外縁折り曲げ部
２  下側ガゼット部
３  取手穴
４  封止部
５  開口部
６  封止部
６１  空気抜き部
７、７ａ  逃げ縁
８  点溶着部
【図１】
2014122065.tif 000003
【図２】
2014122065.tif 000004
【図３】
2014122065.tif 000005
【図４】
2014122065.tif 000006
【図５】
2014122065.tif 000007